(57)【要約】【課題】利用する際の処理の高速化を図ることができると共に、時系列データの元の変動傾向を保持する。【解決手段】データ収集部１２５は、データ取得対象５０に対して時系列にデータを収集し、収集データを収集データ記憶部１３４とデータ加工部１２４に出力する。収集データ記憶部１３４は、収集データを順次保存する。データ加工部１２４は、収集データに対して、時系列に連続した複数のデータ毎に、該複数のデータの変動傾向を算出可能な統計データを計算する。統計データ記憶部１３２は、データ加工部１２４が算出した統計データを保存する。【選択図】図１
2009251874.tif 000002
【特許請求の範囲】
【請求項１】
時系列に収集したデータを収集データとして順次保存する収集データ保存工程と、
前記収集データに対して、時系列に連続した複数のデータ毎に、該複数のデータの変動傾向を算出可能な統計データを計算するデータ加工工程と、
前記統計データを保存する統計データ保存工程とを備えることを特徴とする時系列データ保存方法。
【請求項２】
前記収集データは、一定の収集間隔で収集されたものであり、
前記データ加工工程は、前記収集間隔のＮ倍（Ｎ：２以上の整数）である一定の統計間隔で前記統計データを計算することを特徴とする請求項１に記載の時系列データ保存方法。
【請求項３】
前記収集データの保存期間が、該収集データに対応する前記統計データの保存期間より短くなるように保守を行う保守工程をさらに備えることを特徴とする請求項１または２に記載の時系列データ保存方法。
【請求項４】
前記データ加工工程は、複数の統計間隔別に前記統計データを計算し、
前記統計データ保存工程は、前記統計間隔別に統計データを保存することを特徴とする請求項１または２に記載の時系列データ保存方法。
【請求項５】
前記収集データの保存期間が、該収集データに対応する前記統計データの保存期間よりも短く、前記統計データについては、統計間隔が短いほど保存期間が短くなるように保守を行う保守工程をさらに備えることを特徴とする請求項４に記載の時系列データ保存方法。
【請求項６】
前記統計データは、当該統計データが算出される統計期間における収集データのデータ数、データ合計値、データ二乗合計値、最小値、最大値を含むことを特徴とする請求項１から５のいずれか１項に記載の時系列データ保存方法。
【請求項７】
前記統計間隔が設定可能であることを特徴とする請求項１から６のいずれか１項に記載の時系列データ保存方法。
【請求項８】
時系列に収集したデータを収集データとして順次保存する収集データ保存部と、
前記収集データに対して、時系列に連続した複数のデータ毎に、該複数のデータの変動傾向を算出可能な統計データを計算するデータ加工部と、
前記統計データを保存する統計データ保存部とを備えることを特徴とする時系列データ保存装置。
【請求項９】
前記収集データは、一定の収集間隔で収集されたものであり、
前記データ加工部は、前記収集間隔のＮ倍（Ｎ：２以上の整数）である一定の統計間隔で前記統計データを計算することを特徴とする請求項８に記載の時系列データ保存装置。
【請求項１０】
前記収集データの保存期間が、該収集データに対応する前記統計データの保存期間より短くなるように保守を行う保守部をさらに備えることを特徴とする請求項８または９に記載の時系列データ保存装置。
【請求項１１】
前記データ加工部は、複数の統計間隔別に前記統計データを計算し、
前記統計データ保存部は、前記統計間隔別に統計データを保存することを特徴とする請求項８または９に記載の時系列データ保存装置。
【請求項１２】
前記収集データの保存期間が、該収集データに対応する前記統計データの保存期間よりも短く、前記統計データについては、統計間隔が短いほど保存期間が短くなるように保守を行う保守部をさらに備えることを特徴とする請求項１１に記載の時系列データ保存装置。
【請求項１３】
前記統計データは、当該統計データが算出される統計期間における収集データのデータ数、データ合計値、データ二乗合計値、最小値、最大値を含むことを特徴とする請求項８から１２のいずれか１項に記載の時系列データ保存装置。
【請求項１４】
前記統計間隔を設定する設定部をさらに備え、
前記データ加工部は、前記設定部により設定された統計間隔で統計データを計算することを特徴とする請求項８から１３のいずれか１項に記載の時系列データ保存装置。
【発明の詳細な説明】
【技術分野】
【０００１】
本発明は、トレンドデータなどの時系列データの保存技術に関する。
【背景技術】
【０００２】
様々な産業分野において、装置の動作状況を監視するために、動作に関するデータを長時間に亘り取得して蓄積することが行われている。時系列に取得されたこれらのデータ（以下時系列データという）の保存には、様々な視点から手法が提案されている。
【０００３】
例えば、特許文献１〜特許文献４には、保存容量を削減する手法が開示されている。
特許文献１には、データの収集間隔を変更可能にし、「長期」の収集周期でのデータ収集を可能としたことによってデータの保存容量を削減する方法が開示されている。
【０００４】
また、特許文献２には、収集後の経過時間に応じて、経過時間が長いほどデータ個数を間引くことによりデータの保存容量を削減する方法が開示されている。
【０００５】
また、特許文献３と特許文献４には、時間方向に沿った時系列データの変化量を参照し、変化が大きい区間にはサンプリング間隔を短くするが、変化が小さい区間にはサンプリング間隔を長くすることによってデータ量を削減する方法が開示されている。
【０００６】
時系列データの保存は、その後の解析や、検索、抽出などの利用に供するためであり、特許文献５には、利用時の処理速度を高める視点からの手法が開示されている。この手法は、時系列データを長サンプリング間隔と短サンプリング間隔でそれぞれサンプリングし、それぞれのサンプリング間隔でサンプリングして得たデータを階層的に保存することにより、利用する際の処理の高速化を図る。
【特許文献１】特開２０００−３０５６２２号公報
【特許文献２】特開平５−１２０４５２号公報
【特許文献３】特開２００７−１１４８９６号公報
【特許文献４】特開平１０−１４３５４３号公報
【特許文献５】特開２００４−０３０５９９号公報
【発明の開示】
【発明が解決しようとする課題】
【０００７】
ところで、トレンドデータを収集する最も大きな目的の１つは、トレンドデータの変動傾向から装置などのデータ収集対象の状況を監視することである。これに対して、特許文献５による手法は、長サンプリング間隔で時系列データをサンプリングした際に、残ったデータは元の時系列データの変動傾向を失ってしまう恐れがある。これでは、利用する際の高速化を図ることができるものの、データ収集対象の状況を監視する元の目的を達成できなくなってしまうという問題がある。
【０００８】
本発明は、上記事情に鑑みてなされたものであり、利用時の高速化を図りつつ、元の変動傾向を保持することが出来る時系列データ保存技術を提供する。
【課題を解決するための手段】
【０００９】
本発明の一つの態様は、時系列データ保存方法である。この方法は、収集データ保存工程と、データ加工工程と、統計データ保存工程を有する。
【００１０】
収集データ保存工程は、時系列に収集したデータを収集データとして順次保存する。データ加工工程は、収集データに対して、時系列に連続した複数のデータ毎に、該複数のデータの変動傾向を算出可能な統計データを計算する。統計データ保存工程は、統計データを保存する。
【００１１】
上記態様の時系列データ保存方法によれば、収集データに対して、複数のデータ毎にそれらの統計データを算出して保存することにより、利用する際に、オリジナルの収集データを参照するまでもない処理の場合、統計データにアクセスすることにより処理の高速化を図ることができる。さらに、統計データが、該統計データが算出される統計期間（上記複数のデータの収集期間に対応する）における収集データの変動傾向を算出可能なものであるので、収集データの元の変動傾向を失うことが無い。
【００１２】
なお、上記態様の方法を、該方法を実行する装置や、該方法の一部をコンピュータに実行せしめるプログラムとして置き換えて表現したものも、本発明の態様として有効である。
【発明の効果】
【００１３】
本発明にかかる時系列データ保存技術によれば、利用する際の処理の高速化を図ることができると共に、時系列データの元の変動傾向を保持することができる。
【発明を実施するための最良の形態】
【００１４】
以下の説明に用いられる図面に、様々な処理を行う機能ブロックとして記載される各要素は、ハードウェア的には、プロセッサ、メモリ、その他の回路で構成することができ、ソフトウェア的には、メモリに記録された、またはロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。また、分かりやすいように、これらの図面において、本発明の技術を説明するために必要なもののみを示す。
【００１５】
本発明の具体的な実施の形態を説明する前に、まず、本発明の原理を説明する。
図１は、本発明の原理を説明するための時系列データ保存装置１の模式図である。時系列データ保存装置１は、収集データ記憶部１１と、データ加工部１２、統計データ記憶部１３を備える。
【００１６】
収集データ記憶部１１は、プラントや装置などのデータ取得対象に対して収集した時系列データを収集データとして収集時刻に対応付けて保存する。
【００１７】
データ加工部１２は、収集データに対して、時系列に連続した複数のデータ毎に、該複数のデータの変動傾向を算出可能な統計データを計算する。以下、データ加工部１２が統計データを算出する対象である「時系列に連続した複数のデータ」の収集期間を「統計期間」という。なお、統計データとしては、例えば統計期間における収集データのデータ数、データ合計値、データ二乗合計値、最小値、最大値を含むものである。
【００１８】
統計データ記憶部１３は、データ加工部１２が算出した統計データを順次保存する。保存する際に、当該統計データに対応する収集データが分かるように、例えば、統計データと、該統計データが得られる統計期間における最も先頭の収集データの収集時刻とを対応付ける。
【００１９】
図２は、データ加工部１２により得られた統計データと収集データの関係を示す。図示のように、データ加工部１２は、収集データに対して連続する統計期間毎に統計データを算出している。なお、データ加工部１２が統計データを算出する際の統計期間の長さすなわち統計間隔は、すべての統計データについて同一であってもよく、統計データ間で異なってもよい。異なる統計間隔を用いる例として、例えば、収集データの単位時間当たりの変化量を算出し、変化量が多い期間については統計間隔を短くし、変化量が少ない期間については統計間隔を長くすることができる。
【００２０】
時系列データ保存装置１は、収集データを保存すると共に、収集データに対して統計期間毎に統計データを算出して保存する。こうすることにより、保存されたデータを利用する際に、オリジナルの収集データを参照するまでもない処理の場合、統計データにアクセスすることにより処理の高速化を図ることができる。さらに、統計データが、その統計期間における収集データの変動傾向を算出可能なものであるので、収集データの元の変動傾向を失うことが無い。
【００２１】
本発明にかかる時系列データ保存技術では、図３に示すように、同一の収集間隔で収集された時系列データに対して、収集間隔のＮ倍（Ｎ：２以上の整数）である一定の統計間隔で統計データを算出することが好ましい。こうすることによって、収集データの収集間隔も、統計データの統計間隔も一定であるので、のちに利用する際に加工しやすい利点がある。
【００２２】
本発明にかかる時系列データ保存技術では、収集データと統計データを削除するなどの保守を行う際に、統計データの保存期間が、該統計データに対応する収集データの保存期間より長くなるように保守を行うことが好ましい。こうすることによって、容量の小さい統計データの方が長く保存されるので、保存容量を削減することができる。また、統計データから、収集データの変動傾向を算出することができるので、該統計データに対応する収集データが先に削除されても、収集データの変動傾向を取得することができる。
【００２３】
本発明にかかる時系列データ保存技術では、複数の統計間隔毎に、各統計間隔で統計期間毎に統計データを算出するようにしてもよい。例えば、図４に示すように、収集間隔が一定である収集データに対して、収集間隔の整数倍の統計間隔１（図示の例では統計間隔１が収集間隔の４倍になる）の統計期間１毎に、統計データ１を算出する。そして、統計間隔１より長い、収集間隔の整数倍の統計間隔２（図示の例では、統計間隔２が収集間隔の８倍になる）の統計期間２毎に、統計データ２を算出する。このようにして、統計間隔別に統計データを階層的に得る。なお、この場合、統計間隔２は統計間隔１の整数倍とすれば、統計データ１から統計データ２を算出することができ、計算量を削減することができるので、階層的に統計データを算出する場合には、統計間隔が１段階短い階層の統計間隔の整数場合になるように各階層の統計間隔を定めることが好ましい。
【００２４】
ここで、図５を参照して、統計データを階層的に算出することに対応する時系列保存装置、およびこのような時系列保存装置におけるデータの保守手法を説明する。
図５に示す時系列データ保存装置２は、収集データ記憶部２１と、データ加工部２２と、統計データ記憶部２３と、保守部２４を備える。
【００２５】
収集データ記憶部２１は、図１に示す時系列データ保存装置１における収集データ記憶部１１と同様に、データ取得対象に対して収集した時系列データを収集データとして順次保存する。
【００２６】
データ加工部２２は、収集データに対して、複数の統計間隔別に、各統計間隔で統計期間毎に統計データを算出する。統計データ記憶部２３は、データ加工部２２が得た統計データを階層毎にすなわち統計間隔毎に保存する。
【００２７】
保守部２４は、収集データ記憶部２１に保存された収集データと、統計データ記憶部２３に保存された統計データとを、保存時間に応じて定期的に削除する。具体的には、収集データの保存期間が該収集データに対応した統計データの保存期間より短く、統計データについては、統計間隔の短い統計データほど保存期間が短いように、削除を行う。
【００２８】
時系列データ保存装置２は、時系列データ保存装置１と同様の効果を発揮することができる。また、複数の階層の統計データを作成してそれらの階層に応じた保存時間で保存するので、利便性を高めることができる。
【００２９】
以上の説明を踏まえて本発明の実施の形態を説明する。
図６は、本発明の実施の形態にかかる時系列データ保存装置１００を示す。時系列データ保存装置１００は、データ取得対象５０に対して所定長さの収集間隔で時系列にデータを収集し、収集データの保存、加工、保守を行って、利用者に供するものである。図示のように、時系列データ保存装置１００は、入力装置１１２と、表示装置１１４と、データ処理部１２０と、複数の統計データ記憶部１３２と、収集データ記憶部１３４を備える。また、データ処理部１２０は、設定部１２１、データ抽出部１２２、データ保守部１２３、データ加工部１２４、データ収集部１２５を有する。
【００３０】
入力装置１１２は、キーボードなど、利用者が各種入力をするためのものである。本実施の形態では、入力装置１１２を介して、時系列データの収集間隔、統計間隔、保存期間などを設定するための入力と、保存中のデータを利用するための入力がなされる。保存中のデータを利用するための入力は、例えば必要なデータを取り出すために、収集期間、プロット間隔などの指定を例として挙げることができる。
【００３１】
表示装置１１４は、入力装置１１２を介して入力された内容や、データ処理部１２０から出力されたデータをグラフや表などの形式で表示する機能を備える。
【００３２】
データ処理部１２０において、設定部１２１は、入力装置１１２を介して利用者に収集間隔、統計間隔、保存時間の入力を行わせると共に、入力装置１１２を介して利用者が行った設定の内容を保存して、データ保守部１２３、データ加工部１２４、データ収集部１２５に供する。
【００３３】
図７は、設定部１２１による設定内容の例を示す。図示のように、設定部１２１により、利用者が収集データに関する設定（収集データ設定）と、統計データに関する設定（統計データ設定）ができる。収集データ設定は、データ取得対象５０に対してデータを収集する収集間隔と、収集データの保存期間を含む。統計データ設定は、統計間隔と、統計データの保存期間を含む。本実施の形態において、統計間隔およびそれに対応する統計データの保存期間は、複数設定可能である。なお、統計データ設定に際して、下記のルールが設けられている：
１．最も短い統計間隔は、収集間隔の２以上の整数倍である。
２．最も短い統計間隔を除いた他の各統計間隔は、自身より１段階短い統計間隔の２以上の整数倍である。
３．収集データの保存期間は、それに対応するいずれの統計間隔の統計データの保存期間よりも短い。統計データについては、統計間隔が短い統計データほど保存期間が短い。
【００３４】
例えば、図７の例では、統計間隔について、統計間隔１が収集間隔の２以上の整数倍、統計間隔２が統計間隔１の２以上の整数倍、・・・、統計間隔ｎが統計間隔（ｎ−１）の２以上の整数倍のように設定され、保存期間について、統計データ保存期間ｎ、統計データ保存期間（ｎ−１）、・・・、統計データ保存期間２、統計データ保存期間１、収集データ保存期間の順で短くなるように設定される。
【００３５】
データ収集部１２５は、設定部１２１に設定された収集間隔でデータ取得対象５０からデータを時系列に取得して、収集データ記憶部１３４とデータ加工部１２４に出力する。
【００３６】
収集データ記憶部１３４は、データ収集部１２５が得た収集データを収集データテーブルの態様で順次保存する。図８は、収集データ記憶部１３４により保存された収集データテーブルの例を示す。図示のように、収集データ記憶部１３４は、データ収集部１２５が収集したデータを、収集時刻とデータ値とを対応付けて保存している。なお、図示の例の場合、収集間隔の長さが「１分」である。
【００３７】
データ加工部１２４は、２つの処理を行う。１つは、データ収集部１２５から得た収集データから統計データを作成する処理であり、もう１つは、入力装置１１２を介して利用者が行ったリクエストに応じて行う集計処理である。集計処理については、のちにデータ抽出部１２２を説明する際に説明し、ここでは、統計データを作成する処理について説明する。
【００３８】
データ加工部１２４は、統計間隔１、統計間隔２、・・・統計間隔ｎ別に、統計データを算出して統計データ記憶部１３２に出力する。
【００３９】
図９は、データ加工部１２４により最も短い統計間隔（統計間隔１）で統計データを算出する態様を示す。図示のように、データ加工部１２４は、収集データに対して、統計間隔１に対応する各統計期間１毎に、統計データ１を算出する。統計データ１は、その統計期間１における収集データの「データ数」、「データ合計値」、「データ二乗合計値」、「最大値」、「最小値」から構成される。
【００４０】
図１０は、データ加工部１２４により統計間隔１の他の統計間隔で統計データを算出する態様を示す。なお、図１０では、統計間隔２を例にする。図示のように、データ加工部１２４は、統計間隔２で統計データを算出する際に、統計データ１を用いる。例えば、統計データ２に含まれる「データ数」を計算する際に、該統計データ２に対応する統計期間２に含まれる各統計期間１の各々の統計データ１の「データ数」を加算する。「データ合計値」、「データ二乗合計値」についても同様である。また、「最大値」については、該統計データ２に対応する統計期間２に含まれる各統計期間１の各々の統計データ１の「最大値」のうちの最大値を算出すればよい。「最小値」についても同様である。こうすることにより、統計間隔が長い統計データについても収集データから統計データを算出することより演算量を抑制することができ、高速な処理が可能である。
【００４１】
複数の統計データ記憶部１３２は、複数の統計間隔に夫々対応し、当該統計間隔で算出された統計データを統計データテーブルの態様で順次保存する。
【００４２】
図１１は、５分である統計間隔（統計間隔１）に対応する統計データ記憶部１３２に保存された統計データテーブル１の例を示す。図示のように、統計データ記憶部１３２は、５分の統計間隔１毎の統計データ値を、時刻と対応付けて保存している。なお、統計テーブルにおける「時刻」は、当該統計データと対応する収集データと関連付けることが可能なものであり、例えば、統計データが算出される統計期間の先頭における収集データの収集時刻とすることができる。
【００４３】
図１１に示す例では、収集時刻００：００〜００：０４の収集データに対応する統計データの時刻が００：００になり、収集時刻００：０５〜００：０９の収集データに対応するサンプリングデータの収集時刻が００：０５になっている。
【００４４】
図１２は、１０分である統計間隔（統計間隔２）に対応する統計データ記憶部１３２に保存された統計データテーブル２の例を示す。図示のように、この収集データ記憶部１３４は、１０分の統計間隔２毎の統計データ値を、時刻と対応付けて保存している。
【００４５】
データ保守部１２３は、設定部１２１に保存された「収集データ保存期間」と、「統計データ保存期間１」、・・・、「統計データ保存期間ｎ」に従って、定められた保存期間を過ぎたデータを削除する。
【００４６】
図１３は、収集データと、各統計間隔の統計データの保存期間の長短関係を示す。図示のように、収集データ保存期間が統計データ保存期間より短く、統計データ保存期間については、統計間隔の短い統計データほど保存期間が短い。
【００４７】
データ抽出部１２２は、利用者が入力装置１１２を介して行った指示に応じて、指定された期間のデータを収集データ記憶部１３４または統計データ記憶部１３２から抽出して、指示された出力先例えば表示装置１１４に出力する。また、データ抽出部１２２がデータ加工部１２４からリクエストがあるときに、リクエストされたデータを抽出してデータ加工部１２４に供する。
【００４８】
本実施の形態において、データ加工部１２４がデータ抽出部１２２にリクエストするのは、入力装置１１２を介して、収集データの変動傾向を算出する集計処理が指示されたときである。データ加工部１２４は、集計処理指示を受信すると、指示された期間（指定期間という）の長さが、いずれかの統計間隔の整数倍であるか否かを確認する。該当する統計間隔が複数である場合には、該指定期間における、最も長い統計間隔の統計データをデータ抽出部１２２にリクエストする。図１０と図１１に示す統計テーブルを例にして説明する。例えば、指定期間が３０分である場合、指定期間の長さが統計間隔１（５分）と統計間隔２（１０分）の整数倍である。このとき、データ加工部１２４は、長いほうの統計間隔２の統計データをデータ抽出部１２２にリクエストする。一方、指定期間が２５分である場合には、該当する統計間隔が統計間隔１のみであるため、データ加工部１２４は、統計間隔１の統計データをデータ抽出部１２２に抽出する。なお、該当する統計間隔がない場合には、データ加工部１２４は、指定期間の収集データをデータ抽出部１２２にリクエストする。
【００４９】
データ抽出部１２２は、データ加工部１２４からリクエストを受信すると、リクエストされたデータの有無を確認し、あれば、それを抽出してデータ加工部１２４に出力する。無ければ、その旨をデータ加工部１２４に通知する。
【００５０】
データ加工部１２４が、データ抽出部１２２からのデータを受け取り、集計処理を行って、表示装置１１４に出力する。データ加工部１２４が行う集計処理は、例えば、指定された期間の集計データの平均値、最大値、最小値、平均偏差を算出する処理である。ここで、統計データから集計を行う場合を例にする。
【００５１】
データ加工部１２４は、式（１）〜式（４）に従って指定期間の集計データの平均値、最大値、最小値、平均偏差をそれぞれ算出する。
【数１】
2009251874.tif 000003
【数２】
2009251874.tif 000004
【数３】
2009251874.tif 000005
【００５２】
上記各式において、ｍは、指定期間における統計データの個数である。ｎｉは、指定期間におけるｉ番目の統計データの個数であり、図１０や図１１などに示す統計データに含まれる「データ数」に該当する。ＸＳＵＭ＿ｉとＸ２ＳＵＭ＿ｉは、それぞれ、ｉ番目の統計データに含まれる「データ合計値」と「データ二乗合計値」である。Ｘｍａｘ＿ｉとＸｍｉｎ＿ｉは、それぞれ、ｉ番目の統計データに含まれる「最大値」と「最小値」である。
【００５３】
なお、データ加工部１２４は、データ抽出部１２２から該当データが無いことを通知されたときには、その旨を表示装置１１４に表示させる。
【００５４】
このように、本実施の形態の時系列データ保存装置１００によれば、収集データを保存すると共に、統計データを作成して保存するので、利用する際に、例えば所定期間の集計結果を表示させる際に、該期間に合致する統計間隔の統計データがあればそれを用いて集計処理できるので、高速な処理が可能である。収集データの保存期間が統計データより短いので、容量の削減ができる。さらに、統計データが、それらから収集データの変動傾向を算出することができるものであるので、収集データが削除された後でも統計データから集計を取ることができるので、安全である。
【００５５】
以上、実施の形態をもとに本発明を説明した。実施の形態は例示であり、本発明の主旨から逸脱しない限り、さまざまな変更、増減を加えてもよい。これらの変更、増減が加えられた変形例も本発明の範囲にあることは当業者に理解されるところである。
【図面の簡単な説明】
【００５６】
【図１】本発明にかかる時系列保存データ保存技術の原理を説明するための時系列データ保存装置の模式図である（その１）。
【図２】図１に示す時系列データ保存装置におけるデータ加工部による統計データの作成を説明するための図である（その１）。
【図３】図１に示す時系列データ保存装置におけるデータ加工部による統計データの作成を説明するための図である（その２）。
【図４】図１に示す時系列データ保存装置におけるデータ加工部による統計データの作成を説明するための図である（その３）。
【図５】本発明にかかる時系列データ保存技術の原理を説明するための時系列データ保存装置の模式図である（その２）。
【図６】本発明の実施の形態にかかる時系列データ保存装置を示す図である。
【図７】図６に示す時系列データ保存装置における設定部の設定内容の例を示す図である。
【図８】図６に示す時系列データ保存装置における収集データ記憶部が保存した集計データテーブルの例を示す図である。
【図９】図６に示す時系列データ保存装置におけるデータ加工部が収集データから統計データを作成する態様を示す図である。
【図１０】図６に示す時系列データ保存装置におけるデータ加工部が統計データから別の統計データを作成する態様を示す図である。
【図１１】図６に示す時系列データ保存装置における統計データ記憶部が保存した統計データテーブルの例を示す図である（その１）。
【図１２】図６に示す時系列データ保存装置における統計データ記憶部が保存した統計データテーブルの例を示す図である（その２）。
【図１３】図６に示す時系列データ保存装置における収集データ保存期間と統計データ保存期間の長短関係を示す図である。
【符号の説明】
【００５７】
１  時系列データ保存装置  １１  収集データ記憶部
１２  データ加工部  １３  統計データ記憶部
２  時系列データ保存装置  ２１  収集データ記憶部
２２  データ加工部  ２３  統計データ記憶部
２４  保守部  ５０  データ取得対象
１００  時系列データ保存装置  １１２  入力装置
１１４  表示装置  １２０  データ処理部
１２１  設定部  １２２  データ抽出部
１２３  データ保守部  １２４  データ加工部
１２５  データ収集部  １３２  統計データ記憶部
１３４  収集データ記憶部
【図１】
2009251874.tif 000006
【図２】
2009251874.tif 000007
【図３】
2009251874.tif 000008
【図４】
2009251874.tif 000009
【図５】
2009251874.tif 000010
【図６】
2009251874.tif 000011
【図７】
2009251874.tif 000012
【図８】
2009251874.tif 000013
【図９】
2009251874.tif 000014
【図１０】
2009251874.tif 000015
【図１１】
2009251874.tif 000016
【図１２】
2009251874.tif 000017
【図１３】
2009251874.tif 000018